(57)【要約】【課題】  フック部を取り換え可能で、かつフックに掛けられる荷重が十分なフック用磁石製品あるいはフック付き磁石製品を提供すること。【解決手段】  物掛け用として用いるフック部に、シリコンゴムなどで被覆された永久磁石及び磁束集中用の磁束調整部（いわゆるヨーク）を含む磁石製品部とを結合部によって一体化することで、磁石を吸着する金属製の壁に設置できるようにするとともに、磁束調整部によってフック部に懸架できる荷重が十分な吸着力を確保するとともに、フック部を取り換え可能とした。【選択図】図１
2018186909.tif 000002
【特許請求の範囲】
【請求項１】
被懸架物が懸架され得る懸架部を有するフックを結合する為の結合部の軸部が貫通される孔と前記結合部の頭部が収容されることが可能な凹部とを有した永久磁石部であって、前記凹部は前記結合部の軸部よりも径が大きい前記結合部の頭部の厚さより大きな深さを有し前記結合部の頭部の径より大きい径をもつ、永久磁石部と、
前記永久磁石部の略全面を被覆する被覆部と
を具備したことを特徴とするフック用磁石製品。
【請求項２】
前記永久磁石部による磁束を集中させる磁束調整部を更に備え、
前記被覆部は前記永久磁石部及び前記磁束調整部を被覆することを特徴とする請求項１記載のフック用磁石製品。
【請求項３】
前記結合部の頭部と前記永久磁石部の前記凹部を被覆する前記被覆部との間に緩衝部を更に具備したことを特徴とする請求項１または２記載のフック用磁石製品。
【請求項４】
被懸架物が懸架され得る懸架部を有するフックを結合する為の結合部の頭部を収納するのに十分な第１の径及び深さを備えた第１の孔を有した永久磁石部と、
前記結合部の軸部を通すのに十分な径であって前記第１の径より小さい第２の径を持つ第２の孔を有し前記永久磁石部による磁束を集中させるための磁束調整部と、
前記永久磁石部と前記磁束調整部とを被覆する被覆部と
を具備したことを特徴とするフック用磁石製品。
【請求項５】
前記結合部の頭部と前記磁束調整部を被覆する前記被覆部との間に緩衝部を更に具備したことを特徴とする請求項４記載のフック用磁石製品。
【請求項６】
被懸架物が懸架され得る懸架部を有するフックを結合する為の結合部の全体を収納できる第１の径を有する第１の孔を有した永久磁石部と、前記第１の径と略同径の第２の孔を有し前記永久磁石部と略同軸に隣接して配置される磁束調整部と、前記永久磁石部と前記磁束調整部とを被覆する被覆部とを備えたマグネット部と、
前記第１の孔及び前記第２の孔によって形成される第１の凹部に嵌合する凸部、前記第１の凸部の内部に前記結合部の軸部を通すのに十分な第３の径を有する第３の孔、前記結合部の頭部の厚さより大きい深さと前記結合部の頭部の径より大きな内径を持つ第２の凹部、前記第２の凹部から延出し前記フックと反対側の面に拡開するように配置される羽部、を備える緩衝部であって、前記マグネット部に前記羽部の厚さよりも大きな深さと前記羽部の径よりも大きな第４の径を有する第４の凹部に前記羽部を完全に収納される、緩衝部と
を具備することを特徴とするフック用磁石製品。
【請求項７】
前記緩衝部の外縁に前記緩衝部の前記フックとは反対側の面と略同面で外縁緩衝部が更に配置されたことを特徴とする請求項６記載のフック用磁石製品。
【請求項８】
前記マグネット部における前記被覆部と前記緩衝部とが溶融接着を含む一体化手段によって一体化されたことを特徴とする請求項６もしくは７記載のフック用磁石製品。
【請求項９】
前記フック用磁石製品の、前記フックを取り付ける側の面、及び／もしくは前記フックを取り付ける側とは反対側の面に、着色処理を含むデザイン処理を施すための装飾部を備えたことを特徴とする請求項１〜８のうちの１項記載のフック用磁石製品。
【請求項１０】
請求項１〜９のうちの１項記載のフック用磁石製品と、
前記被懸架物が懸架され得る懸架部を有するフックと、
前記フック用磁石製品と前記フック部とを結合する結合部と、
を具備したことを特徴とするフック付き磁石製品。
【発明の詳細な説明】
【技術分野】
【０００１】
本発明は、たとえば金属製の壁に取り付けて使用され得るフック用磁石製品及びフック付き磁石製品に関する。
【背景技術】
【０００２】
事務所や家庭などでは、壁に鞄や衣類、小物などを掛ける為に、色々なフックが使用されている。その場合、壁が木製であればたとえばフックにねじが付いたものが使用される。しかし壁が磁石の吸着され得る金属製である場合には、フック付き磁石（マグネット）製品を使用するのが一般的で、インターネットで検索すると、多数のメーカーにより、フック付き磁石製品が販売されていることが判る。
【先行技術文献】
【特許文献】
【０００３】
【特許文献１】特開２００８−４３５６１号公報
【特許文献２】特開２００７−１６７４２９号公報
【０００４】
特許文献１では、磁性壁に磁着する磁石盤と、同一軸線上に位置しワイヤーケース部と前記磁石盤に螺着するネジ部を有し、ワイヤーケース部の軸線と直交する中央部に、底部に座部を形成した止め穴を凹設し、止め穴の座部より止め穴より小径の貫通穴を設け、ワイヤーケース部端面より前記止め穴および貫通孔に連通する案内溝を刻設したワイヤーケースと、ハンガーを装着するワイヤーの上端に固着した球体を止め穴の座部に着座させ、ワイヤーを貫通穴あるいは案内溝に位置させるハンガー部とよりなるマグネットフックに関する技術思想が開示されるものの、これはマグネット部とフック部との間にワイヤー部が介在する発明のため、美術品を懸架する等の特殊な用途以外には適していない構造である点を指摘せざるを得ない。
【０００５】
特許文献２は、２つのゴムマグネットを接合し、このゴムマグネット上端部を接続して、前方のゴムマグネット正面にフック部を設置し、後方のゴムマグネット背面に剥離シートを貼着する粘着面が設けられるとする技術思想を開示するものであるが、２つのゴムマグネット同士は磁力のみにより固着する構造のため、十分な懸架荷重を期待できない発明である点を指摘せざるを得ない。
【発明の概要】
【発明が解決しようとする課題】
【０００６】
壁が磁石を吸着する金属製の場合には、一般的にマグネット(磁石）式のフックが使用されるが、マグネットが壁に直に接触することから、金属製の壁を傷つける、滑る、錆が出る、などの問題があった。
【０００７】
またインターネット検索で抽出されるマグネット式のフックを見ると、色々なメーカーから多種多様な商品が出ていることが分かる。このことから利用者が用途に応じて色々な形状のフックを選択していることが推察されるが、用途によって様々な形のマグネット式フックを購入しなければならないのは費用が掛かり、管理面でも負担になると言わざるを得ない。
【０００８】
更にインターネット情報でユーザーの声の中に多く見られるのが、磁力による吸着力が弱く、掛けていたものが落下してしまうという不満であった。
【０００９】
本発明は上記のような従来技術上の問題点を解決することを企図したものであり、フック部を取り換え可能でかつフックに掛けられる荷重が十分なフック用磁石製品及びフック付き磁石製品の提供を、解決すべき課題とする。
【課題を解決するための手段】
【００１０】
このような課題を解決する為に、本発明の第１の態様として、永久磁石部はフック部を取り付ける為の結合部の軸部を通せる孔とフック部を取り付ける側と反対側に結合部の頭部を収納できる凹部とを持ち、更に永久磁石部をシリコンゴムなどで被覆する態様とした。
【００１１】
ここで言う収納できる凹部とは、凹部の深さh1と径d1が、収納すべき結合部の頭部の厚さh2と径d2に対して、h1≧h2かつd1≧d2となり、結合部の頭部が完全に収まる凹部を意味するが、結合部の頭部がいわゆる皿ネジの頭部状の場合には、それが完全に収まる形状でも良く、以後本発明で「凹部」というときには、この両者を含む意味で用いることとする。
【００１２】
また結合部とは、フック部をマグネット部に取り付ける（結合する）ことを実現する部品を意味する。結合部としては、ネジ状の機構が一般的に用いられるが、それと同様にフック部をマグネット部に結合する機能を持っているものであれば良く、例えば結合部が樹脂製で、同じく樹脂製のフック部と嵌合するような構造で結合するものなど、本願における「結合部」はネジ状の機構に限定されない広い語義を有するものとする。
【００１３】
シリコンゴムなどの被覆部は永久磁石の磁力線を透過するので、この状態のマグネット部（被覆部で被覆された永久磁石）を用いても、磁石を吸着する金属製の壁への吸着強度は十分に確保される。フック部に掛けるものの荷重は、結合部などを介してマグネット部と取り付ける壁との間に働く剪断力へと変換され、前記吸着強度により十分に実用に耐えうるものとなる。また被覆部はマグネット部を完全に被覆するものが好ましいが、結合部の軸部が接する部分の一部を被覆していない場合や、マグネット部及びフック部が結合部により一体化された状態でマグネット部だけをほぼ被覆するように後からシリコンゴム製のカバーを被せるような態様であっても良い。
【００１４】
これらの場合において、マグネット部に内蔵される永久磁石としてはネオジウム磁石を採用するのが好ましい。
【００１５】
このような態様とすることで、フック部とマグネット部とが分離され、このマグネット部に対して色々な形状のフック部を取り付けることが可能な態様、すなわち「フック部が交換できる」態様となる。
【００１６】
本発明の第２の態様として、前述のユーザーの不満の声に対応する為に、マグネット部において永久磁石からの磁束を集中させる鉄製などの磁束調整部（いわゆる「ヨーク」）を内蔵する態様、としても良い。
【００１７】
この磁束調整部は、典型的には、永久磁石が吸着する方向以外へ磁束が漏れ出ないように覆う態様とするが、吸着する方向と反対側のみを板状に覆うバックプレート的なものであっても、永久磁石自体の磁力が十分であれば構わない。
【００１８】
前述のようにフック部とマグネット部とを結合する場合において、例えば被覆部が完全にマグネット部を被覆している場合に、ネジ状の結合部による締め付け強さや嵌合による結合力が大き過ぎると、マグネット部のシリコンゴムなどによる被覆部に亀裂が発生し、その亀裂から水分などが入り込んで内部に錆が発生するという不具合が本発明以前には存在した。
【００１９】
そこで本発明の第３の態様として、本発明の第１の態様または第２の態様において、結合部の頭部と被覆部との間に、樹脂製あるいはゴム製などによる緩衝部を備える構成をとる。この緩衝部によって、結合などによる応力が緩和され、マグネット部のシリコンゴムなどの被覆部に亀裂が入ることを防ぐことができることから、結合や懸架物によって強い応力が加わる場合でも、錆の発生を防ぐことが確実にできる。
【００２０】
前述のように、永久磁石部に結合部の頭部を収納できる凹部を持たせるということは可能であるが、凹部を持たせない場合に比べて永久磁石部の製造においてコストがより多く掛かる。そこでこれを解決するために、本発明の第４の態様として、永久磁石部の中心部に結合部の頭部を収納できる孔を有し、磁束調整部の中心部には結合部の頭部よりも径の小さな結合部の軸部が通せる孔を有する構造とし、これらを被覆部により被覆した態様としても良い。このような構造により、結合部の頭部による結合時の応力を磁束調整部で受け止めて剪断力に変換することが可能となる。このような構造にすることで、容易にマグネット部（被覆部で被覆された永久磁石部及び磁束調整部）を製造でき、製造面でのコストダウンが可能となる。
【００２１】
上記の場合においても、結合部による応力により被覆部に亀裂が入って錆が発生する不具合が起こる。そこで本発明の第５の態様として、第４の態様において結合部の頭部と被覆部との間に樹脂製あるいはゴム製などによる緩衝部を設ける態様としても良い。このような態様によって、被覆部に結合などで掛かる強い応力を緩和させられるので亀裂の発生を防ぐことができ、錆の発生という不具合を防ぐことができる。
【００２２】
製造面でのコストを抑え結合部による応力などで被覆部に亀裂が入らないための本発明の第６の態様として、前記緩衝部に結合部の頭部を収納する凹部と結合部の頭部より小さい径で結合部の軸部を通す孔とを設け、さらに該緩衝部のマグネット部側が凸状部を持ち、該凸状部が、永久磁石部と磁束調整部とを被覆部で被覆したマグネット部の中心部の孔または凹状部に収納され、かつ結合部の応力を分散して受け止める大きさの面積を持った羽部を有し、該羽部が前記マグネット部のフック部とは反対側に設けられた浅い凹部に収納される態様としても良い。この場合、該緩衝部は該羽部がある程度の面積を持って応力や剪断力を受け止める訳であるが、より好ましくは結合部による応力や剪断力に耐えうる硬度を持った樹脂等の素材であることが好ましい。
【００２３】
製品としては、第６の態様における緩衝部を除いた永久磁石部と磁束調整部とを被覆部で被覆したマグネット部のみをフック用磁石製品としても良い。この場合、該緩衝部を独立した部品として色々な着色を施し、組み合わせなどを変えて使用することが可能となる。この場合のようなマグネット部のみを、第１０の態様とする。
【００２４】
前述のように緩衝部がマグネット部と分離される態様は、使用者が様々な組み合わせを実現できるメリットはあるが、緩衝部パーツを紛失してしまうデメリットも持つことになる。これを解決するために本発明の第７の態様として、前記緩衝部と前記被覆部とを溶融などで一体化させ、これをフック用磁石製品としても良い。
【００２５】
フック用磁石製品のマグネット部は、壁に対する吸着力を十分に持っていれば良いのであるが、壁などに色々なものを掛ける場合には様々な着色等のデザイン性を商品として求められる場合がある。そこで本発明の第８の態様として、本発明の第１〜第７の態様において、マグネット部のフック部が取り付けられる側や、マグネット部の反対側（壁に吸着する側）などに、着色等が可能な装飾部を持つ態様としてもよい。これによりフック部の形状等のデザインと連携を持たせることも可能となり、商品としての魅力を向上させることが可能となる。なお装飾部は、マグネット部に嵌合させ取り外せることが可能なように構成しても良いが、被覆部及び溶融などで一体化させた態様としても良い。
【００２６】
このようにマグネット部とフック部とが分離する磁石製品（マグネットフック）においては、フック部は用途により交換可能であるから、主要な要素はマグネット部であると言うことができる。しかしマグネットフックはフック部があって初めて機能する訳で、フック部が必須の要素であることは言うまでもない。そこで本発明の第９の態様として、本発明の第１〜第８の態様において、マグネット部にフック部が結合部により一体化された態様とした。これによりマグネットフックの購入者は、フック部を備えたマグネットフックとして購入することができるので、自分でフック部を調達しなくとも購入したら直ぐに使用が可能となるし、使用中に別のフック部を使いたい場合には、フック部だけを取り換えれば良いので、好都合である。
【００２７】
ここまでマグネット部は単体での使用を想定して記述しているが、マグネット部を複数個横に連結させた形として使用しても構わない。その場合はマグネット部複数個で懸架物を支える形となるので、懸架物の重量もより多くすることが可能となる。このような場合には、マグネット部複数個を色々な距離で横に並べて連結し一体化させた商品として提供することが好ましい。
【００２８】
またマグネット部は上から見た形状が円であり３次元的には円筒形のものが一般的に使用されるが、上から見た形状が三角形や四角形、更には星形などの多角形でも構わない。むしろ商品としては、色々な形状である方が、製造上コストは掛かるがデザイン的には好まれる可能性があると言える。
【発明の効果】
【００２９】
取り付ける壁が磁石を吸着する金属製の場合に、被覆部により永久磁石などが直接接触しないので、取り付けた後にマグネットフックを外しても、磁石が吸着される金属製の壁には傷が付かない。またマグネット部が滑る、錆が出るなどの問題点を磁束調整部、被覆部及び緩衝部によって解決することができる。さらにフック部を交換可能な構造としているので、用途に応じて様々な形状のフック部を持ったマグネットフックとして使用することができる。
【図面の簡単な説明】
【００３０】
【図１】本発明（フック付き磁石製品）の実施形態に係る斜視図である。
【図２Ａ】本発明の第１の実施形態に係る上面図である。
【図２Ｂ】本発明の第１の実施形態に係る断面図である。
【図２Ｃ】本発明の第１の実施形態に係る下面図である。
【図３Ａ】本発明の第２の実施形態に係る断面図（平板型磁束調整部）である。
【図３Ｂ】本発明の第２の実施形態に係る断面図（囲み型磁束調整部）である。
【図４】本発明の第３の実施形態に係る断面図である。
【図５】本発明の第４の実施形態に係る断面図である。
【図６】本発明の第５の実施形態に係る断面図である。
【図７】本発明の第６の実施形態に係る断面図である。
【図８】本発明の第７の実施形態に係る断面図である。
【図９】本発明の第８の実施形態（フック付き磁石製品）に係る３例を示す斜視図である。
【図１０】本発明の一実施形態に係るフック部の実施３例（基本形、標準形、丸孔形）を示す斜視図である。
【発明を実施するための形態】
【００３１】
以下、図面を参照して、本発明の一実施形態に係るフック用磁石製品及びフック付き磁石製品について説明する。以下、図面に示される構成や形状などは、本発明の実施形態の例であるので、本発明は図面において図示されたものに限定されない。
【００３２】
図１は本発明の第１の実施形態の斜視図であり、マグネット部２とフック部３とで構成されたフック付き磁石製品１を表している。図２Ａはその上面図、図２Ｂはその断面図、図２Ｃはその下面図である。
【００３３】
本発明の第１の実施形態に係る概略構成としては、マグネット部２に内蔵される永久磁石部１１がシリコンゴムなどで形成される被覆部１０で被覆され、フック部３とマグネット部２とが分離されフック部３が交換可能なフック付き磁石製品を形成している。
【００３４】
上述したように、本発明の第１の実施形態に係るフック付き磁石製品１は、永久磁石部１１がシリコンゴムなどの被覆部１０により被覆されて形成されるマグネット部２とフック部３とが結合部３０によって一体的に緊結された形態となっている。
【００３５】
磁石を吸着する壁にしっかりと取り付ける為の構成として、マグネット部２には結合部の軸部３２を通す為の孔及び、結合部の頭部３１を収納するための凹部１３をマグネット部２の取りつく壁側の面に刻設する。結合部３０でフック部３をマグネット部２に一体的に緊結する為に、結合部３０の頭部３１による応力や剪断力がマグネット部２で受け止められる構造になっている。
【００３６】
前述のように、永久磁石部１１が被覆部１０により被覆された形態により、フック付き磁石製品をマグネット部２の取りつく（図示しない）金属製の壁から外しても当該金属製の壁には傷が付かず、マグネット部２とフック部３とが結合部３０などによって一体に緊結される形態とすることで、フック部３は取り換え可能となる、或いは取り換え動作がスムーズになる。
【００３７】
図３Ａおよび図３Ｂは本発明の第２の実施形態に係るフック付き磁石製品の概略構成を示した断面図である。同両図に示されるように、第２の実施形態に係るフック付き磁石製品１０１または１１１は、マグネット部２Ｂまたは２Ｃに内蔵される永久磁石部１１と磁束調整部（いわゆるヨーク）１２または１２Ｂとがシリコンゴムなどの被覆部１０により被覆され、フック部３とマグネット部２Ｂまたは２Ｃとが分離されフック部が交換可能な構成となっている。
【００３８】
上記第２の実施形態は、図３Ａおよび図３Ｂのマグネット部２Ｂまたは２Ｃに示されるように、永久磁石部１１と永久磁石部１１からの磁束を集中させる鉄製などの磁束調整部１２または１２Ｂとがシリコンゴムなどの被覆部１０により被覆されて形成されている。磁束調整部１２または１２Ｂは永久磁石部１１からの磁束を集中させるので、この形態によりマグネットフック１０１または１１１に懸架されるものの荷重が十分に確保される。
【００３９】
図３Ａおよび３Ｂに示された実施形態において、マグネット部２Ｂまたは２Ｃとフック部３とは結合部３０によって一体的に緊結される構成となっている。この場合、ネジを締め付ける緊結力が大き過ぎると、マグネット部２Ｂまたは２Ｃのシリコンゴムなどによる被覆部１０に過剰な応力が働いて亀裂が発生したり、その亀裂から水分などが入り込んで内部に錆が発生したりするという不具合が起こる場合がある。
【００４０】
このような不具合が起こらないようにする為に、結合部３０と被覆部１０との間に樹脂製あるいはゴム製などによる緩衝部を備えさせる構成が望ましい。このための構成として、図４は本発明の第３の実施形態に係る断面図である。同図に示されるように、第３の実施形態に係るフック付き磁石製品１２１は、マグネット部２とフック部３とが結合部３０によって一体的に緊結されるにあたって、緩衝部２０を結合部３０と被覆部１０との間に備えさせる構成が示されている。この実施形態においては、マグネット部２のフック部３とは反対側に設けられる凹部１３は、結合部の頭部３１と緩衝部２０とを収納させる必要があるので、凹部の深さh1と径d1は、結合部の頭部の厚さh2と径d2、及び緩衝部の厚さh3と径d3に対して、h1≧h2+h3、d1≧d2、d1≧d3となって、結合部の頭部と緩衝部が完全に収まる凹部とする。
【００４１】
図５は本発明の第４の実施形態に係るフック付き磁石製品の断面図である。同図に示されるように、第４の実施形態に係るフック付き磁石製品１３１は、マグネット部２Ｄにおいて永久磁石部１１Ａの中心部に結合部の頭部３１を収納できる凹部を有し、磁束調整部１２の中心部には前記結合部の頭部よりも径の小さな結合部の軸部が通せる孔を有しており、これらを被覆部１０により被覆した構造が示されている。この実施形態においても、凹部１３は結合部の頭部３１を完全に収納されるような径及び深さを備える凹部となっている。
【００４２】
図６は本発明の第５の実施形態に係るフック付き磁石製品の断面図である。同図に示されるように、第５の実施形態に係るフック付き磁石製品１４１は、マグネット部２Ｄと結合部の頭部３１との間に樹脂製あるいはゴム製などによる緩衝部２０を備えた構造が示されている。この実施形態においては、マグネット部２Ｄの結合部とは反対側に設けられた凹部１３は、結合部の頭部３１と緩衝部２０とを完全に収納できる径及び深さを備える凹部となっている。
【００４３】
図７は本発明の第６の実施形態に係るフック付き磁石製品の断面図である。同図に示されるように、第６の実施形態に係るフック付き磁石製品１５１は、マグネット部２Ｅにおいて永久磁石部１１Ｂと磁束調整部１２とは中心部に孔を有しており、これらを被覆部１０で被覆した構造が示されている。永久磁石部１１Ｂと磁束調整部１２の孔及び被覆部により、マグネット部２Ｅの中心部にはこれまでの実施形態の場合よりは比較的大径の孔及び比較的浅い深さの凹部が形成される。緩衝部２０は、このマグネット部２Ｅの孔及び凹部でできる空間に内挿される形状を有している。更に、緩衝部２０には、マグネット部中心部の孔または凹部に嵌合するように形成された中心部２２を有し、この中心部２２のフック部３とは反対側には結合部の頭部３１を収納する凹部１３が形成され、更には結合部の軸部３２を通す径の孔と、マグネット部２Ｅの表面に形成された浅い凹部１３Ａに収納される羽部２１とを有している。この羽部２１は、たとえば比較的硬い樹脂から構成されてもよい。
【００４４】
この第６の実施形態においては、マグネット部２Ｅと緩衝部２０とが嵌合する形態なので、これらを別々に販売し、マグネット部２Ｅ及び緩衝部２０のデザインを購入者が自由に色々な組み合わせ、楽しめるような提供の仕方も可能である。
【００４５】
この第６の実施形態におけるマグネット部２Ｅのみを販売することも可能なので、この場合のマグネット部２Ｅのみを第１０の実施形態と考えることも可能である。
【００４６】
また第６の実施形態において、マグネット部の被覆部１０と緩衝部２０とを溶融などにより一体化したものを第７の実施形態とすることもできる。これにより緩衝部２０を紛失することを防ぐことができる。
【００４７】
マグネットフックは、事務所や家庭などで、壁に鞄や衣類、小物などを掛ける為の日用品として身近に用いられる商品であることから、デザイン性も重要となる。そこで図８の断面図に示される第８の実施形態においては、マグネット部２Ｅにおいてカラフルな着色を施した樹脂などによる装飾部４０を備えた構成としても良い。
【００４８】
図９は、上記各実施形態におけるマグネット部に上記各実施形態におけるフック部が上記各実施形態における結合部により一体化された第９の実施形態を示した図となっている。
【００４９】
これらの実施形態において、図１０の３、３Ｂ、３Ｃなどとして典型的に示される各フック部は、金型に樹脂を射出成型して製造し初めから一体に形成しても構わないし、別々に形成した各パーツを接着などの方法によって一体化し形成しても良い。
【００５０】
本発明におけるフック部は、使う人の好みや用途に応じて様々な形状や機能のものが求められている。したがって実施例として図１０に図示されたもの以外にも、用途やデザイン性なども考慮し、様々な形状や機能を持ったものを提供することが望ましく、図示されたものに限定されない。
【００５１】
更にこれらの実施形態において、マグネット部は略円柱形としたものを図示したが、前述のようにフック付き磁石製品は商品としてデザイン性を要求されることから、マグネット部の頭部の見付面に係る平面形状は三角形、四角形、星形などの多角形や楕円など様々な形状としても良く、図示されたものに限定されない。
【産業上の利用可能性】
【００５２】
一般的な事務所や家庭などにある磁石が吸着される金属製の壁に、シリコンゴムなどで被覆したマグネット部と様々な形状のフック部とで構成された本発明に係るフック付き磁石製品を利用することにより、フック部に鞄や衣類などを手軽に掛けることができるので、フック用磁石製品あるいはフック付き磁石製品を商品として販売することができ、産業上の利用が可能である。
【符号の説明】
【００５３】
１  フック付き磁石製品
２  マグネット部（フック用磁石製品：永久磁石のみ）
２Ｂ  マグネット部（フック用磁石製品：永久磁石と磁束調整部・平板型）
２Ｃ  マグネット部（フック用磁石製品：永久磁石と磁束調整部・囲み型）
２Ｄ  マグネット部（フック用磁石製品：永久磁石と磁束調整部・複合型A）
２Ｅ  マグネット部（フック用磁石製品：永久磁石と磁束調整部・複合型B）
３  フック部（基本形）
３Ｂ  フック部（標準形）
３Ｃ  フック部（丸孔形）
１０  被覆部
１１  永久磁石部
１２  磁束調整部（平板型）
１２Ｂ  磁束調整部（囲み型）
１３  結合部の頭部収納用のマグネット部の凹部
１３Ｂ  結合部の頭部収納用の永久磁石の凹部
２０  緩衝部
２１  緩衝部の羽部
３０  結合部
３１  結合部の頭部
３２  結合部の軸部
４０  装飾部
【図１】
2018186909.tif 000003
【図２Ａ】
2018186909.tif 000004
【図２Ｂ】
2018186909.tif 000005
【図２Ｃ】
2018186909.tif 000006
【図３Ａ】
2018186909.tif 000007
【図３Ｂ】
2018186909.tif 000008
【図４】
2018186909.tif 000009
【図５】
2018186909.tif 000010
【図６】
2018186909.tif 000011
【図７】
2018186909.tif 000012
【図８】
2018186909.tif 000013
【図９】
2018186909.tif 000014
【図１０】
2018186909.tif 000015
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
被懸架物が懸架され得る懸架部を有するフックを結合する為の結合部の頭部を収納するのに十分な第１の径及び深さを備えた第１の孔を有した永久磁石部と、
前記結合部の軸部を通すのに十分な径であって前記第１の径より小さい第２の径を持つ第２の孔を有し前記永久磁石部による磁束を集中させるための磁束調整部と、
前記永久磁石部と前記磁束調整部とを被覆する被覆部と、
前記結合部の頭部と前記磁束調整部を被覆する前記被覆部との間に配置される緩衝部と
を具備したことを特徴とするフック用磁石製品。
【請求項２】
被懸架物が懸架され得る懸架部を有するフックを結合する為の結合部の全体を収納できる第１の径を有する第１の孔を有した永久磁石部と、前記第１の径と略同径の第２の孔を有し前記永久磁石部と略同軸に隣接して配置される磁束調整部と、前記永久磁石部と前記磁束調整部とを被覆する被覆部とを備えたマグネット部と、
前記第１の孔及び前記第２の孔によって形成される第１の凹部に嵌合する凸部、前記第１の凸部の内部に前記結合部の軸部を通すのに十分な第３の径を有する第３の孔、前記結合部の頭部の厚さより大きい深さと前記結合部の頭部の径より大きな内径を持つ第２の凹部、前記第２の凹部から延出し前記フックと反対側の面に拡開するように配置される羽部、を備える緩衝部であって、前記マグネット部に前記羽部の厚さよりも大きな深さと前記羽部の径よりも大きな第４の径を有する第４の凹部に前記羽部を完全に収納される、緩衝部と
を具備することを特徴とするフック用磁石製品。
【請求項３】
前記緩衝部の外縁に前記緩衝部の前記フックとは反対側の面と略同面で外縁緩衝部が更に配置されたことを特徴とする請求項２記載のフック用磁石製品。
【請求項４】
前記マグネット部における前記被覆部と前記緩衝部とが溶融接着を含む一体化手段によって一体化されたことを特徴とする請求項２もしくは３記載のフック用磁石製品。
【請求項５】
前記フック用磁石製品の、前記フックを取り付ける側の面、及び／もしくは前記フックを取り付ける側とは反対側の面に、着色処理を含むデザイン処理を施すための装飾部を備えたことを特徴とする請求項１〜４のうちの１項記載のフック用磁石製品。
【請求項６】
請求項１〜５のうちの１項記載のフック用磁石製品と、
前記被懸架物が懸架され得る懸架部を有するフックと、
前記フック用磁石製品と前記フック部とを結合する結合部と、
を具備したことを特徴とするフック付き磁石製品。